(57)【要約】【課題】接続時間が短縮でき、施工コストを低減することができるプラスチック絶縁電力ケーブル用接続部を提供する。【解決手段】ゴム絶縁筒３（１４，１５，１６）を、ケーブルの端部を段剥ぎして露出した導体の接続部（導体接続管１３）、その両側のケーブル絶縁体１２及びケーブル外部半導電層１１を覆うように装着したプラスチック絶縁電力ケーブル用接続部において、ゴム絶縁筒３上に長手方向に沿って配置された２つ割れの金属管２４ａ，２４ｂと、この２つ割れの金属管２４ａ，２４ｂを接続するための気密シール構造を有するピンロック機構３０と、金属管２４ｂに取り付けられた接地取り出し管２３とを備える。【選択図】      図１
2004236379.tif 000002
【特許請求の範囲】
【請求項１】
ゴム系材料をベースにして形成された内部半導電層、絶縁層及び外部半導電層を有するゴム絶縁筒を、ケーブルの端部を段剥ぎして露出した導体の接続部、その両側のケーブル絶縁体及びケーブル外部半導電層を覆うように装着したプラスチック絶縁電力ケーブル用接続部において、
前記ゴム絶縁筒上に長手方向に沿って配置された２つ割れの金属管と、この２つ割れの金属管を接続するための気密シール構造を有する接続機構と、前記２つ割れの金属管の少なくとも一方の金属管に取り付けられた接地取り出し管と、を備えたことを特徴とするプラスチック絶縁電力ケーブル用接続部。
【請求項２】
前記接続機構は、前記２つ割れの金属管の一方の金属管に取り付けられた第１接続部材と、前記２つ割れの金属管の他方の金属管に取り付けられた第２接続部材と、前記第１接続部材に形成された溝部に挿入されたＯリングと、前記第１接続部材と前記第２接続部材とを嵌合させたときにロックさせるピンとを有することを特徴とする請求項１記載のプラスチック絶縁電力ケーブル用接続部。
【請求項３】
前記ゴム絶縁筒と前記２つ割れの金属管との空隙に充填されたゴム部材を備えたことを特徴とする請求項１又は請求項２記載のプラスチック絶縁電力ケーブル用接続部。
【請求項４】
ゴム系材料をベースにして形成された内部半導電層、絶縁層及び外部半導電層を有するゴム絶縁筒を、ケーブルの端部を段剥ぎして露出した導体の接続部、その両側のケーブル絶縁体及びケーブル外部半導電層を覆うように装着したプラスチック絶縁電力ケーブル用接続部において、
前記ゴム絶縁筒上に長手方向に沿って配置された金属管と、前記金属管に取り付けられた接地取り出し管と、前記ゴム絶縁筒と前記金属管との空隙に充填されたゴム部材と、を備えたことを特徴とするプラスチック絶縁電力ケーブル用接続部。
【請求項５】
前記ゴム絶縁筒は、両端がスロープ状に形成されてなり、前記金属管は、前記スロープ状のゴム絶縁筒により両端が整形されてなることを特徴とする請求項１乃至請求項４のいずれか１項記載のプラスチック絶縁電力ケーブル用接続部。
【発明の詳細な説明】
【０００１】
【発明の属する技術分野】
本発明は、プラスチック絶縁電力ケーブル用接続部に関し、特に、遮蔽、接地、防食処理を施したときの接続時間を短縮できるプラスチック絶縁電力ケーブル用接続部に関する。
【０００２】
【従来の技術】
架橋ポリエチレン絶縁に代表されるプラスチック絶縁電力電力ケーブルは、その優れた絶縁性と取り扱い容易さによって急速に汎用化の道をたどっている。それに伴い、ケーブル接続作業の総数が増大し、これらの作業の簡素化、短時間化に対する要求が大きくなっている。
【０００３】
近年、接続時間が短く、簡単に接続可能なジョイントとして、内部半導電層、絶縁層、外部半導電層で形成されたゴム絶縁筒（ゴムブロック）を用いたプラスチック絶縁電力ケーブル接続部が実用化されている。
【０００４】
図５に従来のプラスチック絶縁電力ケーブル用接続部の断面図を示す（特許文献１）。図５に示すプラスチック絶縁電力ケーブルの一例である架橋ポリエチレン絶縁電力ケーブル（以下、ＣＶケーブルと略称する。）において、各ケーブル１２１，１２２のケーブル導体を筒状の導体接続管１１１に両側から挿入し、導体接続管１１１を相互に電気的に接続する。そして、導体接続管１１１の周囲に導電性テープ１１３ａを巻き付け、ケーブル１２１，１２２の各内部半導電層間を連絡する。
【０００５】
次に、導体接続管１１１を中心として、ケーブル１２１，１２２の各絶縁体層間を連絡するように自己融着性テープを巻き付けて、絶縁体層１１２を形成する。このようにして絶縁体層１１２を形成した後、絶縁体層１１２の周囲に導電性テープ１１３ｂを巻き付け、ケーブル１２１，１２２の各外部半導電層間を連絡する。
【０００６】
次に、半導電性テープ１１３ｂの周囲に鉛テープ１１６及びすずめっき軟銅線１１７を巻回して外部遮蔽層を形成し、ケーブル１２１，１２２の各金属遮蔽層間を電気的に接続する。その後、２つ割れの鉛管１１５を溶接接続した後に外部遮蔽層の周囲に取り付け、鉛管１１５と絶縁層１１２との間の空隙に防水混和物１１８を充填する。即ち、空気では熱の放散性が良くなく、また、ゴムブロックが鉛管内で熱挙動を起こし、曲がりなどを発生してしまうため、防水混和物１１８が設けられている。
【０００７】
次に、鉛管１１５の周囲に防水テープ１１４を巻き付ける。これにより、ＣＶケーブルの接続が完了する。なお、鉛管１１５に設けられた端子１１５ａは接地に接続する。
【０００８】
【特許文献１】
特開平６−２６１４３３号（図３）
【０００９】
【発明が解決しようとする課題】
このように、従来のプラスチック絶縁電力ケーブル用接続部にあっては、ゴムブロックを各ケーブルに装着して絶縁処理を行った後に、後工程として、遮蔽処理、接地処理、防食処理を行っているが、この後工程の処理が絶縁処理と同等以上の時間を要していた。このため、各ケーブルの接続時間を短縮できないため、施工コストが高くなっていた。
【００１０】
本発明は、このような点に鑑みてなされたもので、接続時間が短縮でき、施工コストを低減することができるプラスチック絶縁電力ケーブル用接続部を提供することを目的とする。
【００１１】
【課題を解決するための手段】
本発明に係るプラスチック絶縁電力ケーブル用接続部は、ゴム系材料をベースにして形成された内部半導電層、絶縁層及び外部半導電層を有するゴム絶縁筒を、ケーブルの端部を段剥ぎして露出した導体の接続部、その両側のケーブル絶縁体及びケーブル外部半導電層を覆うように装着したプラスチック絶縁電力ケーブル用接続部において、前記ゴム絶縁筒上に長手方向に沿って配置された２つ割れの金属管と、この２つ割れの金属管を接続するための気密シール構造を有する接続機構と、前記２つ割れの金属管の少なくとも一方の金属管に取り付けられた接地取り出し管と、を備えたことを特徴とする。
【００１２】
この発明によれば、ゴム絶縁筒上に長手方向に沿って配置された２つ割れの金属管を気密シール構造を有する接続機構により接続したので、従来のような２つ割れの鉛管を溶接接続する必要がなくなるから、接続時間が短縮でき、施工コストを低減することができる。
【００１３】
また、前記接続機構は、前記２つ割れの金属管の一方の金属管に取り付けられた第１接続部材と、前記２つ割れの金属管の他方の金属管に取り付けられた第２接続部材と、前記第１接続部材に形成された溝部に挿入されたＯリングと、前記第１接続部材と前記第２接続部材とを嵌合させたときにロックさせるピンとを有することを特徴とする。
【００１４】
この発明によれば、溝部に挿入されたＯリングを有する第１接続部材と第２接続部材とを嵌合させたときにピンでロックさせるので、ボルト締めなどが不要であると共に、金属管間の引き抜けを防止できる。
【００１５】
また、前記ゴム絶縁筒と前記２つ割れの金属管との空隙に充填されたゴム部材を備えたことを特徴とする。
【００１６】
この発明によれば、２つ割れの金属管をゴム絶縁筒上に装着する前に、ゴム部材をゴム絶縁筒と２つ割れの金属管との空隙に充填しておき、２つ割れの金属管を装着するのみで、後工程の防水混和物の注入処理を省略できる。
【００１７】
また、ゴム系材料をベースにして形成された内部半導電層、絶縁層及び外部半導電層を有するゴム絶縁筒を、ケーブルの端部を段剥ぎして露出した導体の接続部、その両側のケーブル絶縁体及びケーブル外部半導電層を覆うように装着したプラスチック絶縁電力ケーブル用接続部において、前記ゴム絶縁筒上に長手方向に沿って配置された金属管と、前記金属管に取り付けられた接地取り出し管と、前記ゴム絶縁筒と前記金属管との空隙に充填されたゴム部材と、を備えたことを特徴とする。
【００１８】
この発明によれば、金属管をゴム絶縁筒上に装着する前に、ゴム部材をゴム絶縁筒と金属管との空隙に充填しておき、金属管を装着するのみで、後工程の防水混和物の注入処理を省略できる。
【００１９】
また、前記ゴム絶縁筒は、両端がスロープ状に形成されてなり、前記金属管は、前記スロープ状のゴム絶縁筒により両端が整形されてなることを特徴とする。
【００２０】
この発明によれば、金属管の両端がスロープ状のゴム絶縁筒によりスロープ状に整形されるので、後の防水処理等がスムーズに行えるから、接続時間を短縮できる。
【００２１】
【発明の実施の形態】
以下、本発明に係るプラスチック絶縁電力ケーブル接続部の実施の形態を図面に基づいて説明する。
【００２２】
（第１実施形態）
図１は本発明の第１実施形態に係るプラスチック絶縁電力ケーブル用接続部の断面図である。図１に示すプラスチック絶縁電力ケーブル用接続部において、ケーブル導体（図示せず）の接続部である導体接続管１３及びケーブル絶縁体１２を覆い、且つケーブル外部半導電層１１に跨るように、これらの外周に装着されたゴム絶縁筒３（ゴムブロック）が設けられている。
【００２３】
このゴム絶縁筒３は、一般に絶縁性能が高く、また成形加工性に優れたエチレンプロピレンゴムをベースゴムとして使用し、内部半導電層１４、ゴムブロック絶縁層１５、ゴムブロック外部半導電層１６とが一体的にモールド成形された、全体で１つの部品（１ピース）で構成されている。
【００２４】
双方のケーブルの端部が段剥ぎされて露出したケーブル導体の端部を導体接続管１３の両側から挿入し、導体接続管１３が相互に電気的に接続されている。ゴム絶縁筒３のゴムブロック外部半導電層１６の中央平坦部上には、シリコンＲＴＶゴム１７が形成されており、このシリコンＲＴＶゴム１７上には長手方向に沿って２つ割れの例えば銅又は鉛からなる金属管２４ａ，２４ｂが配置されている。なお、シリコンＲＴＶゴム１７に代えて、常温硬化型ゴム、ゴムシートを用いることもできる。
【００２５】
金属管２４ａ，２４ｂの挿入性を良くするために、金属管直下にテフロン（登録商標）テープなどのすべりの良いテープ層などを設けることもできる。
【００２６】
金属管２４ａの一端と金属管２４ｂの一端とは、図２に示すようなピンロック機構３０により電気的に接続されている。このピンロック機構３０において、金属管２４ａには溶接部３３を介して気密シール構造のＬ字部材３１が取り付けられており、このＬ字部材３１にはピン差し込み穴３２が形成されている。金属管２４ｂには溶接部３８を介して気密シール構造の基部３４が取り付けられており、この基部３４には、ピン用溝３５と、Ｏリング３７を挿入するための水密のＯリング用溝３６とが形成されている。図３に示すように、Ｌ字部材３１と基部３４とを嵌合させたときに、ピン３９がピン差し込み穴３２及びピン用溝３５を挿通してロックされるようになっている。Ｌ字部材３１及び基部３４は、例えば銅などからなる。
【００２７】
また、ピンロック機構３０上には、金属管２４ａの一端からピンロック機構３０上を通り金属管２４ｂの一端に亙って、防水処理層２１が形成されている。
【００２８】
また、金属管２４ａ，２４ｂの一端側は、接地処理線２０及びワイヤーシールド圧着部１９を介してケーブルシース１，２に接続されている。金属管２４ｂ上には、例えば銅からなる接地取り出し管２３が取り付けられており、この接地取り出し管２３の一端は、接地されている。金属管２４ａ，２４ｂの他端は、スロープ状に形成され、さらにその先端はケーブルシース１，２に接続されている。このため、ケーブル系統全体が接地されるようになっている。なお、接地取り出し管２３は、金属管２４ａ，２４ｂのそれぞれに取り付けても良い。
【００２９】
金属管２４ａ，２４ｂのスロープ部分からケーブルシース１，２に亙って、端部防水処理層２５が形成されている。
【００３０】
このように構成されたプラスチック絶縁電力ケーブル用接続部によれば、ゴム絶縁筒３を各ケーブルに装着して絶縁を形成した後、ゴム絶縁筒３上にシリコンＲＴＶゴム１７を形成し、ゴム絶縁筒３上に長手方向に沿って２つ割れの金属管２４ａ，２４ｂを配置し、２つ割れの金属管２４ａ，２４ｂをピンロック機構３０により接続し、金属管２４ｂに接地取り出し管２３を取り付け、ピンロック機構３０上に防水処理層２１を形成する。即ち、２つ割れの金属管２４ａ，２４ｂを気密シール構造を有するピンロック機構３０により接続したので、従来のような２つ割れの鉛管を溶接接続する必要がなくなるから、接続時間が短縮でき、施工コストを低減することができる。
【００３１】
また、ピンロック機構３０において、Ｏリング用溝３６に挿入された水密のＯリング３７を有する気密シール構造の基部３４とＬ字部材３１とを嵌合させたときにピン３９でロックさせるので、ボルト締めなどが不要であると共に、金属管２４ａ，２４ｂ間の引き抜けを防止できる。
【００３２】
また、２つ割れの金属管２４ａ，２４ｂをゴム絶縁筒３上に装着する前に、シリコンＲＴＶゴム１７をゴム絶縁筒３と２つ割れの金属管２４ａ，２４ｂとの空隙に充填しておき、２つ割れの金属管２４ａ，２４ｂを装着するのみで、後工程の防水混和物の注入処理を省略できる。従来では、防水混和物を空隙に全て流し込むのに約１時間を要していたが、第１実施形態では、シリコンＲＴＶゴム１７を約１０分程度で空隙に充填できる。
【００３３】
（第２実施形態）
図４は本発明の第２実施形態に係るプラスチック絶縁電力ケーブル用接続部の断面図である。図４に示すプラスチック絶縁電力ケーブル用接続部において、ケーブル導体（図示せず）の接続部である導体接続管１３及びケーブル絶縁体１２を覆い、且つケーブル外部半導電層１１に跨るように、これらの外周に装着されたゴム絶縁筒３（ゴムブロック）が設けられている。
【００３４】
双方のケーブルの端部が段剥ぎされて露出したケーブル導体の端部を導体接続管１３の両側から挿入し、導体接続管１３が相互に電気的に接続されている。ゴム絶縁筒３のゴムブロック外部半導電層１６の中央平坦部上には、シリコンＲＴＶゴム１７が形成されており、このシリコンＲＴＶゴム１７上には長手方向に沿って、例えば銅又は鉛からなる一体の金属管２４が配置されている。なお、シリコンＲＴＶゴム１７に代えて、常温硬化型ゴム、ゴムシートを用いることもできる。
【００３５】
金属管２４は、接地処理線２０及びワイヤーシールド圧着部１９を介してケーブルシース１，２に接続されている。金属管２４上には、例えば銅からなる接地取り出し管２３が取り付けられており、この接地取り出し管２３の一端は、接地されている。金属管２４の両端は、ケーブルシース１，２に接続されている。このため、ケーブル系統全体が接地されるようになっている。金属管２４の両端からケーブルシース１，２に亙って、端部防水処理層２５が形成されている。
【００３６】
このように構成されたプラスチック絶縁電力ケーブル用接続部によれば、ゴム絶縁筒３を各ケーブルに装着して絶縁を形成した後、ゴム絶縁筒３上にシリコンＲＴＶゴム１７を形成し、ゴム絶縁筒３上に長手方向に沿って金属管２４を配置し、金属管２４に接地取り出し管２３を取り付け、金属管２４の両端からケーブルシース１，２に亙って防水処理層２５を形成する。即ち、金属管２４をゴム絶縁筒３上に装着する前に、シリコンＲＴＶゴム１７をゴム絶縁筒３と金属管２４との空隙に充填しておき、金属管２４を装着するのみで、後工程の防水混和物の注入処理を省略できる。
【００３７】
また、第２実施形態では、第１実施形態のような防水処理層２１を設けていないので、後の防水処理及び遮水処理の箇所が、第１実施形態のそれらよりも減る。このため、第１実施形態よりも接続時間を短縮できる。
【００３８】
なお、本発明は第１及び第２実施形態に限定されるものではない。例えば、ゴム絶縁筒３の両端をスロープ状に形成し、金属管２４，２４ａ，２４ｂの両端を、スロープ状のゴム絶縁筒３によりスロープ状に整形しても良い。このようにすれば、金属管両端とケーブルとの段差部がなくなり、後の防水処理等がスムーズに行えるから、接続時間を短縮できる。
【００３９】
【発明の効果】
以上説明したように本発明によれば、接続時間が短縮でき、施工コストを低減することができるプラスチック絶縁電力ケーブル用接続部を提供することができる。
【図面の簡単な説明】
【図１】本発明の第１実施形態に係るプラスチック絶縁電力ケーブル用接続部の断面図である。
【図２】第１実施形態に係るプラスチック絶縁電力ケーブル用接続部に設けられた引き抜け防止用のピンロック機構の構造図である。
【図３】ピンロック機構の動作を説明するための図である。
【図４】本発明の第２実施形態に係るプラスチック絶縁電力ケーブル用接続部の断面図である。
【図５】従来のプラスチック絶縁電力ケーブル用接続部の断面図である。
【符号の説明】
１，２  ケーブルシース
３  ゴム絶縁筒
１１  ケーブル外部半導電層
１２  ケーブル絶縁体
１３  導体接続管
１４  内部半導電層
１５  ゴムブロック絶縁層
１６  ゴムブロック外部半導電層
１７  シリコンＲＴＶゴム
１９  ワイヤーシールド圧着部
２０  接地処理線
２１  防水処理層
２３  接地取り出し管
２４，２４ａ，２４ｂ  金属管
２５  端部防水処理層
【図１】
2004236379.tif 000003
【図２】
2004236379.tif 000004
【図３】
2004236379.tif 000005
【図４】
2004236379.tif 000006
【図５】
2004236379.tif 000007